(57)【要約】【課題】光源ランプユニットの取り付けによって生じる光学像の色むらを抑えることができるプロジェクタを提供すること。【解決手段】プロジェクタにおいて、光学部品用筐体４５は、照明光軸基端側が開口され、光源装置を収納する光源収納部４８が形成されている。また、光源が収納される光源収納用筐体８の光束射出方向先端部分には、光源収納部４８とスライド自在に係合する係合案内部８Ｂ１、８Ｃ１が、また、基端部分には、光源収納部４８に対して、光源装置を照明光軸直交方向に位置決めする位置決め部８Ｄ２１、８Ｄ５１が形成されている。これによれば、光源収納用筐体８は、光束射出方向先端側と基端側で、光源収納部４８に位置決めされるので、光学部品用筐体４８の照明光軸方向に、光源装置の光束射出方向を精度良く位置決めすることができる。【選択図】  図１２
2005043600.tif 000002
【特許請求の範囲】
【請求項１】
光源およびこの光源を収納する光源収納用筐体を備えた光源装置と、この光源装置から射出された光束を画像情報に応じて変調する光変調装置と、前記光源およびこの光変調装置の間に配置され、前記光源から射出された光束の光学変換を行う複数の光学部品と、これら複数の光学部品および光源装置を、内部に設定された所定の照明光軸上に配置して収納する光学部品用筐体と、前記光源装置、前記光変調装置、前記複数の光学部品、および前記光学部品用筐体を備えた装置本体を内部に収納し、照明光軸が規定する面と略直交する側面を有する外装筐体とを備えたプロジェクタであって、
前記光学部品用筐体には、前記照明光軸に沿った光束射出方向基端側が開口され、前記光源装置を収納する光源収納部が形成され、
前記光源収納用筐体は、収納される光源の光束射出方向先端部分に形成され、前記光源収納部とスライド自在に係合する係合案内部と、該光源収納用筐体の基端部分に形成され、前記光源収納部の開口端面と当接して、該光源収納部に対して前記光源装置を前記照明光軸直交方向に位置決めする位置決め部とを備えていることを特徴とするプロジェクタ。
【請求項２】
請求項１に記載のプロジェクタにおいて、
前記係合案内部は、前記光源収納用筐体の外面から立設する突起として形成され、
前記光源収納部の内面には、前記突起と係合する案内溝が形成されていることを特徴とするプロジェクタ。
【請求項３】
請求項２の記載のプロジェクタにおいて、
前記突起は、前記照明光軸に沿って延びるリブ状突起として形成されていることを特徴とするプロジェクタ。
【請求項４】
請求項２または請求項３に記載のプロジェクタにおいて、
前記案内溝は、前記光源収納部の開口から照明光軸方向先端側に向かうに従って次第に幅狭くなっていることを特徴とするプロジェクタ。
【請求項５】
請求項１から請求項４のいずれかに記載のプロジェクタにおいて、
前記係合案内部は、前記光源装置から射出される光束の照明光軸周りに互いに点対称となる位置に２つ形成され、
前記光源収納部には、各係合案内部と係合する一対の案内溝が形成されていることを特徴とするプロジェクタ。
【発明の詳細な説明】
【０００１】
【発明の属する技術分野】
本発明は、プロジェクタに関する。詳しくは、光源およびこの光源を収納する光源収納用筐体を備えた光源装置と、この光源装置から射出された光束を画像情報に応じて変調する光変調装置と、前記光源およびこの光変調装置の間に配置され、前記光源から射出された光束の光学変換を行う複数の光学部品と、これら複数の光学部品および光源装置を、内部に設定された所定の照明光軸上に配置して収納する光学部品用筐体と、前記光源装置、前記光変調装置、前記複数の光学部品、および前記光学部品用筐体を備えた装置本体を内部に収納し、照明光軸が規定する面と略直交する側面を有する外装筐体とを備えたプロジェクタに関する。
【０００２】
【背景技術】
従来、会議、学会、展示会等でのプレゼンテーションや、家庭でのホームシアター等の用途において、光源から射出された光束を画像情報に応じて変調して光学像を形成し、拡大投写するプロジェクタが用いられている。このようなプロジェクタとしては、いわゆる三板式のプロジェクタが知られている。この三板式のプロジェクタは、光源と、この光源から射出される光束を複数の色光に分離する色分離光学系と、この色分離光学系で分離された各色光毎に光変調を行う複数の光変調装置と、各光変調装置で変調された変調光束を合成する色合成光学系と、この色合成光学系から射出された光束を拡大投写する投写レンズとを備えている。このようなプロジェクタに用いられる光源は、光源ランプおよびリフレクタを有する光源装置を備えており、これが光源収納用筐体であるランプハウジングに収納され、ユニットとして構成されている（例えば、特許文献１参照）。
【０００３】
このような光源ランプユニットは、経年使用に伴い輝度が落ちたり、破裂することがあるので、交換できるようにプロジェクタ内部に取り付けられている。そして、この光源ランプユニットの交換方法として、複数の光学部品を内部に収納する光学部品用筐体の照明光軸方向に挿抜するものが知られている。
【０００４】
また、このような光源ランプユニットが収納される光学部品用筐体の光源収納部は、光束射出方向基端側が開口されていて、その開口から光源ランプユニットを挿入して位置決め固定する。位置決め固定に際しては、光源ランプユニットの光束射出方向基端部分にフランジ面を形成し、このフランジ面に孔を形成しておき、光源収納部の開口端面にねじ止め固定することにより位置決めを行っていた。
【０００５】
【特許文献１】
特開平１１−３１１８３５号公報
【０００６】
【発明が解決しようとする課題】
しかしながら、このような光源ランプユニットの位置決めにおいては、光源ランプユニットを固定するねじ締め部平面があり、また、位置決めボスと孔の組み合わせが２箇所あるだけであったので、わずかなねじ締め部平面の傾斜によりランプユニットが傾いて固定されてしまい、形成された光学像に色むらが生じる原因となるという課題がある。
【０００７】
本発明の目的は、光源ランプユニットの取り付けによって生じる光学像の色むらを抑えることができるプロジェクタを提供することである。
【０００８】
【課題を解決するための手段】
本発明のプロジェクタは、光源およびこの光源を収納する光源収納用筐体を備えた光源装置と、この光源装置から射出された光束を画像情報に応じて変調する光変調装置と、前記光源およびこの光変調装置の間に配置され、前記光源から射出された光束の光学変換を行う複数の光学部品と、これら複数の光学部品および光源装置を、内部に設定された所定の照明光軸上に配置して収納する光学部品用筐体と、前記光源装置、前記光変調装置、前記複数の光学部品、および前記光学部品用筐体を備えた装置本体を内部に収納し、照明光軸が規定する面と略直交する側面を有する外装筐体とを備えたプロジェクタであって、前記光学部品用筐体には、前記照明光軸に沿った光束射出方向基端側が開口され、前記光源装置を収納する光源収納部が形成され、前記光源収納用筐体は、収納される光源の光束射出方向先端部分に形成され、前記光源収納部とスライド自在に係合する係合案内部と、該光源収納用筐体の基端部分に形成され、前記光源収納部の開口端面と当接して、該光源収納部に対して前記光源装置を前記照明光軸直交方向に位置決めする位置決め部とを備えていることを特徴とする。
【０００９】
本発明によれば、光源収納用筐体には、光束射出方向先端部分に係合案内部が形成され、また、光束射出方向基端部分に位置決め部が形成されている。このため、光源収納用筐体が、光学部品用筐体に形成された光源収納部に収納される際に、光束射出方向先端側と基端側で光源収納部に位置決めされるので、光学部品用筐体の照明光軸と、光源装置から射出される光束の光軸とが一致するように、光源収納用筐体を光学部品用筐体に精度良く位置決めすることができる。従って、光源装置から射出される光束の光軸ずれにより、光学像の色むらが発生するのを防ぐことができる。
【００１０】
本発明では、前記係合案内部は、前記光源収納用筐体の外面から立設する突起として形成され、前記光源収納部の内面には、前記突起と係合する案内溝が形成されていることが好ましい。
本発明によれば、光学部品収納用筐体に形成された案内溝に沿って、光源収納用筐体に形成された突起がスライドするので、光源収納用筐体の位置決めを容易に、かつ、精度良く行うことができる。従って、光軸ずれを容易に抑えることができる。また、突起および案内溝を、光源収納用筐体および光源収納部と一体的に形成すれば、部品点数を増加させることなく、光源収納用筐体の取り付けによる光軸ずれを抑えることができる。
【００１１】
本発明では、前記突起は、前記照明光軸に沿って延びるリブ状突起として形成されているが好ましい。
本発明によれば、案内溝における突起の当接面積が大きくなり、光源収納用筐体の位置決めの精度を一層高めることができ、また、安定して光源収納用筐体を光源収納部に収納することができる。
【００１２】
本発明では、前記案内溝は、前記光源収納部の開口から照明光軸方向先端側に向かうに従って次第に幅狭くなっていることが好ましい。
本発明によれば、案内溝は、光源収納用筐体の照明光軸方向基端側は広く、先端側が狭く形成されているので、光源収納用筐体を光源収納部の開口から収納する際に、突起を案内溝に係合しやすくすることができる。従って、光源収納用筐体を収納しやすくすることができる。また、光源収納用筐体の位置決めの精度を高めることができるので、光軸ずれを効果的に抑えることができる。
【００１３】
本発明では、前記収納部には、前記係合案内部は、前記光源装置から射出される光束の照明光軸周りに互いに点対称となる位置に２つ形成され、前記光源収納部には、各係合案内部と係合する一対の案内溝が形成されていることが好ましい。
本発明によれば、光源収納用筐体を光源収納部の照明光軸方向先端側における２箇所で位置決めすることができる。従って、光源収納用筐体を光源収納部に、安定して、かつ、確実に位置決めすることができ、光軸ずれを抑えて光学像の色むらを抑えることができる。
【００１４】
【発明の実施の形態】
以下、本発明の一実施形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。図４は、プロジェクタ１の外装ケース２の一部を示す斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、後述する光変調装置としての液晶パネルで変調形成された光学像を拡大投写する投写光学系としての機能を具備するものであり、レンズ保持筒内部に複数のレンズが収納された組レンズとして構成されている。
【００１５】
外装ケース２は、平面略矩形形状の合成樹脂製の外装筐体であり、プロジェクタ１の光学ユニット（後述）を含む装置本体を収納する。この外装ケース２は、装置本体の上部部分を覆うアッパーケース２１と、装置本体の下部部分を覆うロアーケース２２と、装置本体の前面部分を覆うフロントケース２３と、装置本体の側面部分の一部を覆うサイドケース２４と、装置本体の背面部分を覆うリアケース２５（図３参照）とを備えている。
なお、この外装ケース２の上面、前面、側面、底面、背面の角部分は、曲面状に形成されている。
アッパーケース２１は、装置本体の上部を覆う平面略矩形形状の上面部２１Ａと、この上面部２１Ａの長辺方向の一方の端部から略垂下する側面部２１Ｂと、上面部２１Ａの長辺方向の他方の端部の前方部分から略垂下する側面部２１Ｃと、上面部２１Ａの後端部から略垂下する背面部２１Ｄ（図３参照）とを備えている。
上面部２１Ａの後方側略中央部分には、図１または図３に示すように、プロジェクタ１の起動・調整操作を実施する操作パネル２６が左右方向に延びるように設けられている。操作パネル２６の操作ボタン２６１を適宜押下すると、操作パネル２６内部に配置される図示しない回路基板に実装されたタクトスイッチと接触し、所望の操作が可能となる。また、前記回路基板には、ここでは図示しないＬＥＤが取り付けられており、所望の操作に応じて発光するようになっている。
さらに、操作パネル２６は、操作ボタン２６１を囲むように配置される化粧板２６２を備えており、前記ＬＥＤからの光は化粧板２６２を介して拡散される。
【００１６】
また、この上面部２１Ａの前方側（図１右側）からは、投写レンズ３を上下左右に動かし、投写レンズ３の位置を調整する投写レンズ位置調整装置３０（図４参照）を構成する２つのダイアル３１１，３２１が露出している。この２つのダイアル３１１，３２１のうち、図１左側に配置されたダイアル３１１をＹ１方向（下方）に動かすと、投写レンズ３がＹ３方向（下方）に動き、ダイアル３１１をＹ２方向（上方）に動かすと、投写レンズ３がＹ４方向（上方）に動くこととなる。
また、図１右側に配置されたダイアル３２１をＸ１方向（プロジェクタ１後方からみて右方向）に動かすと、投写レンズがＸ３方向（右方向）に動き、ダイアル３２１をＸ２方向（プロジェクタ１後方から見て左方向）に動かすと、投写レンズ３がＸ４方向（左方向）に動くこととなる。
さらに、上面部２１Ａの内面側には、図示しないが、投写レンズ３の外周を囲うようなリブが立設されている。
【００１７】
側面部２１Ｃには、複数の羽根板７１１から構成されるルーバ７１が露出する切り欠き２１Ｃ１が形成されている。
また、図３に示すように、背面部２１Ｄには、リアケース２５が係合する切り欠き２１Ｄ１が形成されている。
【００１８】
ロアーケース２２は、図１〜図４に示すように、底面部２２Ａ、側面部２２Ｂ、２２Ｃ、背面部２２Ｄ、前面部２２Ｅを備えている。
底面部２２Ａは、平面略矩形形状であり、この底面部２２Ａのプロジェクタ１の後方側略中央には、固定脚部２２Ａ１が設けられるとともに、前方側長辺方向両端に調整脚部２７が設けられている。
調整脚部２７は、底面部２２Ａから面外方向に進退自在に突出する軸状部材２７１（図５参照）を備えており、プロジェクタ１の投写時におけるプロジェクタ１の上下方向および左右方向の傾斜位置を調整可能としている。
また、底面部２２Ａには、外装ケース２の内部と連通する開口部２２Ａ３が形成されている。
この開口部２２Ａ３は、外装ケース２外部の冷却空気を外装ケース２内部に取り込む吸気口であり、この開口部２２Ａ３には、複数の開口が形成されたカバー２２Ａ５が取り付けられている。
さらに、この底面部２２Ａには、図４に示すように、投写レンズ３の外周を囲うようなリブ２２Ａ６が立設されている。
【００１９】
側面部２２Ｂは、底面部２２Ａの長辺方向の一方の端部から立設されたものであり、図２に示すように、アッパーケース２１の側面部２１Ｂと係合して、外装ケース２の側面を構成する。
この側面部２２Ｂには、アッパーケース２１側に窪んだ窪み部２２Ｂ１が形成されており、この窪み部２２Ｂ１はプロジェクタ１を把持する際に把持部として使用される。
図１に示すように、側面部２２Ｃは、底面部２２Ａの長辺方向の他方の端部の前方側部分から立設されたものであり、アッパーケース２１の側面部２１Ｃと係合して、外装ケース２の側面の一部を構成する。この側面部２２Ｃは、その上端が大きく切りかかれており、この切り欠き２２Ｃ１からルーバ７１が露出する。すなわち、側面部２１Ｃの切り欠き２１Ｃ１と、側面部２２Ｃの切り欠き２２Ｃ１とにより、ルーバ７１が露出する開口が形成される。この開口からは、プロジェクタ１内部を冷却した空気が排出されることとなる。
図３に示すように、背面部２２Ｄは、底面部２２Ａの短辺方向の一方の端部から立設されたものであり、この背面部２２Ｄには、リアケース２５が係合する切り欠き２２Ｄ１が形成されている。すなわち、本実施形態では、背面部２１Ｄ、２２Ｄ、リアケース２５とで、外装ケース２の背面が構成されることとなる。
この背面部２２Ｄには、矩形状の開口２２Ｄ２が形成され、この開口２２Ｄ２からは、インレットコネクタ２２Ｄ３が露出している。インレットコネクタ２２Ｄ３は、外部電源からプロジェクタ１に電力を供給する端子であり、後述する電源ユニットと電気的に接続される。
再度、図１に示すように、前面部２２Ｅは、底面部２２Ａの短辺方向の他方の端部から立設されたものである。この前面部２２Ｅは、フロントケース２３と係合し、これらにより外装ケース２の前面が構成されることとなる。
【００２０】
図１および図２に示すように、フロントケース２３は、略楕円形状であり、その長手方向端部側（図１右側）に投写レンズ３を露出させるための開口２３１が形成されている。なお、この開口２３１から露出する投写レンズ３には、ここでは図示しないが、開口２３１および投写レンズ３の外周間の隙間を塞ぐ第１の遮光部材と、投写レンズ３および投写レンズ位置調整装置３０との間の隙間を塞ぐ第２の遮光部材１２と（図４参照）が取り付けられている。
また、このフロントケース２３の略中央部分には、リモコン受光窓２３２が形成されている。このリモコン受光窓２３２の内側には、図示しないリモートコントローラからの操作信号を受信する図示しないリモコン受光モジュールが配置されている。
なお、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介して受光部で受光され、後述する制御基板で処理される。
さらに、フロントケース２３の内面には、図４に示すように、投写レンズ３の外周を囲むようにリブ２３４が立設されており、リブ２３４、ロアーケース２２の底面部２２Ａのリブ２２Ａ６、アッパーケース２１の上面部２１Ａのリブとで投写レンズ３の周囲を囲むレンズ室が形成されることとなる。
【００２１】
サイドケース２４は、図１および図３に示すように、上面部２４Ａと、上面部２４Ａから略垂下した側面部２４Ｃとを備えている。上面部２４Ａは、アッパーケース２１の上面部２１Ａに係合して、外装ケース２の上面を構成する。
側面部２４Ｃは、アッパーケース２１の側面部２１Ｃ、ロアーケース２２の側面部２２Ｃに係合する。
【００２２】
図３に示すように、リアケース２５は、アッパーケース２１の背面部２１Ｄの切り欠き２１Ｄ１と、ロアーケース２２の背面部２２Ｄの切り欠き２２Ｄ１とで形成される開口に嵌め込まれて固定されるものである。
このリアケース２５は平面略矩形形状であり、その長手方向端部近傍には、フロントケース２３と同様のリモコン受光窓２３２が形成されている。
また、このリアケース２５には、外装ケース２内部側に窪んだ凹部２５１が形成されており、この凹部２５１から複数の接続端子２５２が露出している。
接続端子２５２は、外部の電子機器からの画像信号、音声信号等を入力するためのものであり、この接続端子２５２は、リアケース２５の内側に位置するインターフェイス基板に接続されている。
なお、このインターフェイス基板は、後述する制御基板と、電気的に接続されており、このインターフェイス基板にて処理された信号は、制御基板に出力される。
【００２３】
（２）内部構成
図５は、プロジェクタ１の内部構成を示す図である。具体的には、外装ケース２のロアーケース２２のみ残し、アッパーケース２１と、フロントケース２３と、サイドケース２４と、リアケース２５とを外した図である。
外装ケース２の内部には、プロジェクタ１の装置本体が収容されており、この装置本体は、外装ケース２の長手方向に沿って左右方向に延びる光学ユニット４と、この光学ユニット４の上方に配置される制御基板５と、電源ユニット６とを備えている。
【００２４】
（２−１）  光学ユニット４の構造
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、リレー光学系４３と、光変調装置および色合成光学装置を一体化した光学装置４４と、これら光学部品４１、４２、４３、４４を収納配置する略直方体形状のライトガイド４５（図７参照）とに機能的に大別される。
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
【００２５】
光源装置４１１は、放射光源としての光源ランプ４１１Ａ、リフレクタ４１１Ｂ、およびリフレクタ４１１Ｂの光束射出面を覆う防爆ガラス４１１Ｃを備え、これらが光源収納用筐体であるランプハウジング８（図９および図１０参照）に収納されて構成されている。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
なお、ランプハウジング８の構造は、後に詳述する。
【００２６】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ、４４１Ｇ、４４１Ｂ上に結像させる機能を有する。
【００２７】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００２８】
色分離光学系４２は、２枚のダイクロイックミラー４２１、４２２と、反射ミラー４２３とを備える。インテグレータ照明光学系４１から射出された複数の部分光束は、２枚のダイクロイックミラー４２１、４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２、４３５とを備えている。このリレー光学系４３は、色分離光学系４２で分離された色光である青色光を光学装置４４の後述する液晶パネル４４１Ｂまで導く機能を有している。
【００２９】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ、４４１Ｂの光入射側に設けられたフィールドレンズ４１９も同様である。
【００３０】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３１】
光学装置４４は、入射された光束を画像情報に応じて変調してカラー画像を形成する。この光学装置４４は、色分離光学系４２で分離された各色光が入射される３つの入射側偏光板４４２と、この入射側偏光板４４２の後段に配置される光変調装置としての液晶パネル４４１（４４１Ｒ、４４１Ｇ、４４１Ｂ）および射出側偏光板４４４と、色合成光学装置としてのクロスダイクロイックプリズム４４５とを備える。
【００３２】
液晶パネル４４１Ｒ、４４１Ｇ、４４１Ｂは、例えば、ポリシリコンＴＦＴをスイッチング素子として用いたものであり、対向配置される一対の透明基板内に液晶が密封封入されている。そして、この液晶パネル４４１Ｒ、４４１Ｇ、４４１Ｂは、入射側偏光板４４２を介して入射する光束を画像情報に応じて変調して射出する。
【００３３】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ、４４１Ｇ、４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３４】
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ、４４１Ｇ、４４１Ｂ、射出側偏光板４４４およびクロスダイクロイックプリズム４４５は、一体的にユニット化されている。
【００３５】
図７は、ライトガイド４５の構造を示す図である。
ライトガイド４５は、射出成形等による合成樹脂製の光学部品用筐体であり、上述した光学部品４１、４２、４３、４４が収納される下ライトガイド４６と、この下ライトガイド４６の上面の開口部分を塞ぐ蓋状の上ライトガイド４７とを備える。
下ライトガイド４６は、光源装置４１１が収納される光源収納部４８と、光源装置４１１を除く他の光学部品が収納される容器状に形成された部品収納部４９とを備えている。
【００３６】
光源収納部４８は、略箱型形状であり、部品収納部４９側の端面およびこの端面に対向する端面に開口部が形成されている。部品収納部４９側の端面に形成された開口部４８Ｅ１（図１１参照）は、光源装置４１１から射出された光束を透過させるための開口である。また、部品収納部４９側の端面に対向する端面に形成された開口部４８１（図１１参照）は、光源装置４１１を光源収納部４８の側方から差し込むようにして収容するための開口である。
なお、光源収納部４８の構造については、後に詳述する。
【００３７】
部品収納部４９は、上面が開口した略直方体形状であり、その一端は光源収納部４８に接続されている。また、この部品収納部４９の他端には、投写レンズ３がネジ止め固定されるヘッド部５０が取り付けられている。このヘッド部５０は、ライトガイド４５内に設定される照明光軸に対する所定位置に投写レンズ３を設置するためのものである。
部品収納部４９には、ここでは、具体的な図示は省略するが、光学部品４１２〜４１５、４１９、４２１〜４２３、４３１〜４３５を上方からスライド式に嵌め込むための複数の溝部が形成されている。また、この部品収納部４９のヘッド部５０に隣接する部分には、光学装置４４が設置される。
【００３８】
上ライトガイド４７は、下ライトガイド４６の部品収納部４９における光学装置４４の上方を除く上端開口部分を閉塞する。この上ライトガイド４７には、表裏を貫通して複数の開口部４７Ａが形成され、この開口部４７Ａから、ライトガイド４５内を冷却した空気が排出されることとなる。
【００３９】
（２−２）  制御基板５の構造
図５に示すように、制御基板５は、上述したライトガイド４５の上ライトガイド４７の上方に配置される。この制御基板５は、ＣＰＵ（Ｃｅｎｔｒａｌ  Ｐｒｏｃｅｓｓｉｎｇ  Ｕｎｉｔ）等の演算処理装置が実装された回路基板として構成され、プロジェクタ１全体を制御する。この制御基板５は、前述のインターフェイス基板から出力される信号に基づいて液晶パネル４４１Ｒ、４４１Ｇ、４４１Ｂを駆動制御する。そして、液晶パネル４４１Ｒ、４４１Ｇ、４４１Ｂは、光変調を実施して光学像が形成される。また、この制御基板５は、前述の操作パネル２６の回路基板、および前述の図示しないリモコン受光モジュールから出力される操作信号を入力し、この操作信号に基づいてプロジェクタ１の構成部材に適宜、制御指令を出力する。
【００４０】
（２−３）  電源ユニット６の構成
電源ユニット６は、光源装置４１１および制御基板５等に電力を供給するものであり、外装ケース２のフロントケース２３の長手方向に沿って配置されている。この電源ユニット６は、電源回路を備えた電源ブロック６１と、この電源ブロック６１の下方に配置されるランプ駆動ブロック（図示略）とを備えている。
電源ブロック６１は、インレットコネクタ２２Ｄ３に接続された電源ケーブルを通して外部から供給された電力をランプ駆動ブロックおよび制御基板５等に供給する。この電源ブロック６１は、入力される交流を低電圧の直流に変換するトランスや該トランスからの出力を所定の電圧に変換する変換回路等が片面に実装された回路基板と、この回路基板を覆うシールド部材としての筒状部材６１１とを備える。このうち、筒状部材６１１は、アルミニウムから構成され、両端が開口された略箱状に形成されている。
ランプ駆動ブロックは、前述した光源装置４１１に安定した電圧で電力を供給するための変換回路であり、電源ブロック６１から入力した商用交流電流は、このランプ駆動ブロックによって整流、変換されて、直流電流や交流矩形波電流となって光源装置４１１に供給される。
【００４１】
なお、このような電源ユニット６の側方には、排気ファン７２が設置されており、電源ユニット６を冷却した空気をルーバ７１が取り付けられた開口から排出している。また、この電源ユニット６と、ライトガイド４５の光源収納部４８との間には、ダクト７３が設置されており、光源収納部４８内の光源装置４１１を冷却した空気は、排気ファン７２により引き寄せられ、ダクト７３を通って、開口から排出される。
【００４２】
（３）光源装置４１１および光源収納部４８の配置
図８は、光源装置４１１および光源収納部４８の配置を示す斜視図である。
光源装置４１１は、前述のように、光源収納用筐体であるランプハウジング８を備え、このランプハウジング８内に光源ランプ４１１Ａ等が収納されている。また、ランプハウジング８は、ライトガイド４５に形成された光源収納部４８に取り付けられる。この際、ランプハウジング８は、ランプハウジング８内に収納された光源ランプ４１１Ａから射出されリフレクタ４１１Ｂによって規定される光束の光軸が、ライトガイド４５内に配置された光学部品４１、４２、４３、４４によって規定される照明光軸と一致するように、ランプハウジング８の光束射出面を先端にして、光源収納部４８に挿入される。
【００４３】
（４）  ランプハウジング８の構造
図９および図１０は、ランプハウジング８を示す斜視図である。このうち、図９は、ランプハウジング８を正面側から見た斜視図であり、図１０は、ランプハウジング８を背面側から見た斜視図である。
これら図９および図１０において、光源装置４１１から射出される光束の光軸方向をＺ５方向（矢印Ｚ５）とし、このＺ５方向に対する直交方向をＹ５方向（矢印Ｙ５）とし、また、Ｚ５およびＹ５方向に対する直交方向をＸ５方向（矢印Ｘ５）とし、図９および図１０で示す方向は、それぞれ同じである。
【００４４】
ランプハウジング８は、それぞれ一端が開口した箱型の第１筐体８１および第２筐体８２を備え、図９および図１０に示すように、これらが互いの開口を向き合わせるように組み合わさって構成されている。
第１筐体８１には、ランプハウジング８の面として、ランプハウジング８内部に収納された光源ランプ４１１Ａおよびリフレクタ４１１Ｂからの光束射出面である正面部８Ａと、この正面部８Ａに略直交し、互いに対向する一対の面である側面部８Ｂ、８Ｃと、この側面部８Ｂと略直交し、正面部８Ａに対向する背面部８Ｄと、正面部８Ａおよび側面部８Ｂに略直交する側面部８Ｅとが形成されている。また、第２筐体８２には、側面部８Ｅに対向する側面部８Ｆが形成されている。
これら第１筐体８１および第２筐体８２により、ランプハウジング８は、略直方体形状の箱型筐体として構成されている。
【００４５】
（４−１）  正面部８Ａの構成
正面部８Ａには、図９に示すように、防爆ガラス４１１Ｃが露出している。この防爆ガラス４１１Ｃは、光源ランプ４１１Ａが寿命等により破裂した場合に、光源ランプ４１１Ａの破片が、Ｚ５方向に飛散しないように設けられた光透過性のガラス板である。
正面部８ＡのＹ５方向両端部には、正面部８Ａの面外方向に突出し、Ｘ５方向に長い突出部８Ａ１が形成されている。また、正面部８ＡのＸ５方向両端部には、それぞれＸ５方向およびＸ５方向の逆方向に突出する突起部８Ａ２が形成されている。さらに、正面部８Ａには、これら突出部８Ａ１のＺ５方向先端側の面に当接され、かつ、突起部８Ａ２に係合する板金８Ａ３が取り付けられている。
【００４６】
板金８Ａ３は、略八角形状の金属製の板状部材であり、中央からＸ５方向両端部に向かうにしたがってＺ５方向に傾斜した形状を有している。
板金８Ａ３の略中央部分には、略矩形の開口部８Ａ３１が形成されている。また、板金８Ａ３のＸ５方向両端部およびＹ５方向両端部には、Ｚ５方向の逆方向に延出したフック部８Ａ３２および延出部８Ａ３３が形成されている。
ここで、板金８Ａ３を金属製としたのは、光源装置４１１から照射される光束に含まれる紫外線による板金８Ａ３の劣化を防ぐためであり、また、合成樹脂製の部材とした場合に紫外線照射によりガスが発生し変質することを防ぐためである。
【００４７】
開口部８Ａ３１は、正面部８Ａから射出される光束の透過範囲を規定する部分である。すなわち、光源装置４１１から射出される光束の周縁光は、大きな角度で液晶パネル４４１に入射されるので、形成される光学像のコントラストの低下を招くが、絞り部材として配置された板金８Ａ３が、この周縁光を透過しないようにして、コントラストの低下を防いでいる。
【００４８】
フック部８Ａ３２は、板金８Ａ３のＸ５方向両端部にそれぞれ２つずつ略Ｃ字状に形成されている。このフック部８Ａ３２は、正面部８Ａに形成された突起部８Ａ２に係合し、これにより、板金８Ａ３が正面部８Ａに取り付けられる。
延出部８Ａ３３は、板金８Ａ３のＸ５方向に長く形成され、板金８Ａ３を正面部８Ａに位置決めする部分である。すなわち、延出部８Ａ３３の正面部８Ａに対向する面は、正面部８Ａに形成された突出部８Ａ１に当接され、板金８Ａ３の位置決めが行われる。
【００４９】
（３−２）  側面部８Ｂの構成
側面部８Ｂには、Ｚ５方向先端側略中央に先端側突起８Ｂ１が突設され、また、Ｚ５方向略中央には、第１筐体８１と第２筐体８２とを連結するねじ８Ｂ２が取り付けられている。
先端側突起８Ｂ１は、Ｚ５方向に長いリブ状突起として形成された係合案内部であり、側面部８Ｂに一体的に形成されている。この先端側突起８Ｂ１は、ライトガイド４５に形成された光源収納部４８にランプハウジング８を収納する際の位置決めを行う部分であり、光源収納部４８とスライド自在に係合する。なお、この先端側突起８Ｂ１と、光源収納部４８との係合については、後に詳述する。
【００５０】
（３−３）  側面部８Ｆの構成
第２筐体８２によって構成される側面部８Ｆには、Ｚ５方向先端側に図示しない開口部を覆うシャッタ８Ｆ１が設けられ、また、Ｚ５方向基端側には、スリット状の開口部８Ｆ２が形成されている。
【００５１】
シャッタ８Ｆ１は、光源ランプ４１１Ａが破裂した際の交換時に、その破片がランプハウジング８の側面から飛散しないようにするためのものであり、２本のレール８Ｆ１１と、シャッタ本体８Ｆ１２と、これらレール８Ｆ１１およびシャッタ本体８Ｆ１２を接続する２本のコイルばね８Ｆ１３とを備えている。
レール８Ｆ１１は、Ｙ５方向両端部近傍に、Ｚ５方向に延出するように側面部８Ｆと一体的に形成されており、シャッタ本体８Ｆ１２の側面部８Ｆに沿った摺動を案内する。シャッタ本体８Ｆ１２は、レール８Ｆ１１の図示しない案内面と係合するとともに、Ｙ５方向両端部に設けられたコイルばね８Ｆ１３を介して、レール８Ｆ１１と係合している。これらコイルばね８Ｆ１３により、シャッタ本体８Ｆ１２は、図示しない開口部を覆う方向、すなわち、Ｚ５方向に付勢されている。ここで、光源収納部４８に光源装置４１１のランプハウジング８が収納される場合には、光源収納部４８内部にシャッタ本体８Ｆ１２が当接され、ランプハウジング８がＺ５方向に挿入されるに従って、コイルばね８Ｆ１３の付勢力に抗して、シャッタ本体８Ｆ１２がＺ５方向とは逆方向に移動して、図示しない開口部を露出させる。なお、図示しない開口部は、光源装置４１１のうち、リフレクタ４１１Ｂ内部およびリフレクタ４１１Ｂによって囲まれた光源ランプ４１１Ａを冷却する冷却空気が流通するための開口である。
【００５２】
側面部８ＦのＺ５方向基端側に形成された開口部８Ｆ２は、リフレクタ４１１Ｂ外部およびリフレクタ４１１Ｂから突出した光源ランプ４１１Ａを冷却する冷却空気が流通するための開口である。なお、この開口部８Ｆ２は、スリット８Ｆ２１によって複数に分けられており、このスリット８Ｆ２１はＺ５方向斜め先端を向いて形成されているので、開口部８Ｆ２から排気される冷却空気は、Ｚ５方向に対して傾斜して排気される。
【００５３】
（３−４）  側面部８Ｃの構成
図１０に示すように、第１筐体８１によって構成される側面部８Ｃには、Ｚ５方向先端側略中央に先端側突起８Ｃ１が、また、Ｚ５方向基端側略中央には、基端側突起８Ｃ２が形成されている。なお、先端側突起８Ｃ１および基端側突起８Ｃ２は、それぞれＺ５方向に長いリブ状突起として形成されている。
【００５４】
先端側突起８Ｃ１は、側面部８Ｂに形成された先端側突起８Ｂ１と同様に、光源収納部４８にスライド自在に係合する係合案内部であり、光源収納部４８にランプハウジング８が収納される際の位置決めを行う部分である。この先端側突起８Ｃ１は、側面部８Ｃに一体的に形成されている。
【００５５】
また、ここで、側面部８Ｃに形成された先端側突起８Ｃ１は、側面部８Ｂに形成された先端側突起８Ｂ１に対して、光源装置４１１から射出される光束の光軸を挟んだ反対側の位置に形成されている。すなわち、先端側突起８Ｂ１、８Ｃ１は、光軸回りに互いに点対称となるように形成されている。
【００５６】
（３−５）  背面部８Ｄの構成
背面部８Ｄは、正面部８Ａと対向する面であり、また、光源収納部４８にランプハウジング８を収納した際に、光源収納部４８から露出する部分である。この背面部８Ｄの略中央部分には、２つの把手８Ｄ１が形成されている。また、背面部８Ｄの四隅には、背面部８Ｄの中心から略放射状に延出する延出部８Ｄ２、８Ｄ３、８Ｄ４、８Ｄ５が形成されている。さらに、背面部８ＤのＸ５方向基端側には、コネクタ８Ｄ６が取り付けられている。
【００５７】
把手８Ｄ１は、それぞれ断面略Ｃ字状とされ、それぞれのＣ字状の開口が対向し合わないように背面部８Ｄから面外方向に突出して形成されている。
延出部８Ｄ２、８Ｄ３は、Ｙ５方向先端側に形成されている。これらのうち、延出部８Ｄ２は、Ｘ５方向基端側に形成され、延出部８Ｄ３は、Ｘ５方向先端側に形成されている。また、延出部８Ｄ４、８Ｄ５は、Ｙ５方向基端側に形成され、これらのうち、延出部８Ｄ４は、Ｘ５方向基端側に形成され、延出部８Ｄ５は、Ｘ５方向先端側に形成されている。これら延出部８Ｄ２、８Ｄ５には、孔８Ｄ２１、８Ｄ５１が形成され、延出部８Ｄ３、８Ｄ４には、ランプハウジング８固定用のねじ８Ｄ３１、８Ｄ４１が光軸方向であるＺ５方向に突出するように設けられている。すなわち、略矩形の背面部８Ｄにおける一方の対角線の両端部に、孔８Ｄ２１、８Ｄ５１が形成され、他方の対角線の両端部に、ねじ８Ｄ３１、８Ｄ４１が設けられている。これらの孔８Ｄ２１、８Ｄ５１は、光源収納部４８にランプハウジング８を位置決めして固定する基端側の位置決め部である。
コネクタ８Ｄ６は、ランプハウジング８内部に収納された光源ランプ４１１Ａに電力を供給する部分である。このコネクタ８Ｄ６は、図示を略したが、光源ランプ４１１Ａと接続されており、また、前述の電源ユニット６とリード線を介して接続されている。
【００５８】
（３−６）  側面部８Ｅの構成
第１筐体８１によって構成される側面部８Ｅには、前述の側面部８Ｆと同様に、Ｚ５方向先端側に、２本のレール８Ｅ１１、シャッタ本体８Ｅ１２および２本のコイルばね８Ｅ１３から構成され、図示しない開口部を覆うシャッタ８Ｅ１が設けられている。また、側面部８ＥのＺ５方向基端側には、冷却空気が流通するための開口部８Ｅ２が形成されている。このうちシャッタ本体８Ｅ１２は、通常、コイルばね８Ｅ１３によりＺ５方向に付勢されているが、光源収納部４８への収納の際に、Ｚ５方向の逆方向にコイルばね８Ｅ１３の付勢力に抗して移動し、図示しない開口部を露出させる。
なお、これらシャッタ８Ｅ１および開口部８Ｅ２の構造は、前述の側面部８Ｆのシャッタ８Ｆ１および開口部８Ｆ２と略同様であるので、説明を省略する。
【００５９】
（４）光源収納部４８の構造
図１１は、ライトガイド４５に形成された光源収納部４８を示す斜視図である。
光源収納部４８は、前述のように、光源装置４１１を収納する部分である。図１１に示すように、この光源収納部４８には、上面部４８Ａ、底面部４８Ｂ、側面部４８Ｃ、４８Ｄおよび奥行部４８Ｅが形成され、これらの面により、光源収納部４８の照明光軸に沿った光束射出方向基端側には、開口部４８１が形成されている。この開口部４８１は、サイドケース２４（図１参照）を取り外すことによって露出する図示しない開口部に対向して形成されており、この開口部および開口部４８１を介して、ランプハウジング８が光束射出面である正面部８Ａを先にして収納される。
なお、図１１において、ライトガイド４５の照明光軸方向をＺ６方向（矢印Ｚ６）とし、このＺ６方向に直交する高さ方向をＹ６方向（矢印Ｙ６）とし、これらＺ６方向およびＹ６方向に直交する方向をＸ６方向（矢印Ｘ６）とする。
【００６０】
（４−１）  上面部４８Ａおよび底面部４８Ｂの構成
上面部４８Ａおよび底面部４８Ｂの内面には、Ｘ６方向略中央に、開口部４８１からＺ６方向に沿って案内溝４８Ａ１、４８Ｂ１が、それぞれ一体的に形成されている。これら案内溝４８Ａ１、４８Ｂ１は、光源装置４１１から射出される光束の光軸が、ライトガイド４５に配置された光学部品４１，４２，４３，４４（図６）から決められる照明光軸と一致するように、光源装置４１１のランプハウジング８を位置決めするものである。
【００６１】
案内溝４８Ａ１、４８Ｂ１のうち、案内溝４８Ａ１には、ランプハウジング８の側面部８Ｂに形成された先端側突起８Ｂ１が係合し、案内溝４８Ｂ１には、側面部８Ｃに形成された先端側突起８Ｃ１が係合する。また、これらの案内溝４８Ａ１、４８Ｂ１は、Ｚ６方向基端側が幅広に形成され、先端側に向かうに従って幅狭く形成されている。すなわち、案内溝４８Ｂ１においては、Ｚ６方向基端側から先端側に向かって、先端側突起８Ｃ１のＸ５方向の寸法より若干広い寸法を有する第１溝部４８Ｂ１１が形成され、Ｚ６方向基端側に、第１溝部４８Ｂ１１と連続し、かつ、重なるように幅広な第２溝部４８Ｂ１２が形成されている。この第１溝部４８Ｂ１１は、Ｚ６方向基端側が幅広に形成され、先端側に向かうに従って幅狭に形成されている。また、第１溝部４８Ｂ１１の先端側には、先端側突起８Ｃ１のＸ５方向の寸法と略同じ幅寸法を有し、先端側突起８Ｂ１を位置決めする先端側位置決め部４８Ｂ１３が形成されている。案内溝４８Ａ１についても、案内溝４８Ｂ１と同様に、先端側突起８Ｂ１のＸ５方向の寸法より若干広い寸法を有し先端に向かうに従って幅狭に形成された第１溝部４８Ａ１１と、基端側に幅広に形成された第２溝部４８Ａ１２と、先端側突起８Ｂ１のＸ５方向の寸法と略同じ幅寸法を有する図示しない先端側位置決め部とが形成されている。
【００６２】
ここで、上面部４８Ａに形成された図示しない先端側位置決め部と、底面部４８Ｂに形成された先端側位置決め部４８Ｂ１３とのＹ６方向の距離は、ランプハウジング８に形成された先端側突起８Ｂ１と先端側突起８Ｃ１とのＹ５方向（図９および図１０）の距離と略一致する。これにより、ランプハウジング８が光源収納部４８に収納される際に、ランプハウジング８の光軸先端側が安定してＹ６方向の位置決めがされる。
【００６３】
上面部４８Ａおよび底面部４８Ｂの開口端部のＸ６方向両端には、延出部４８Ａ２、４８Ａ３、４８Ｂ２、４８Ｂ３が形成されている。また、これら延出部４８Ａ２、４８Ａ３、４８Ｂ２、４８Ｂ３には、位置決め突起４８Ａ２１、４８Ｂ３１およびねじ孔４８Ａ３１、４８Ｂ２１が形成されている。詳述すると、上面部４８ＡのＸ６方向基端側に形成された延出部４８Ａ２には、位置決め突起４８Ａ２１が形成され、Ｘ６方向先端側に形成された延出部４８Ａ３には、ねじ孔４８Ａ３１が形成されている。また、上面部４８Ａとは逆に、底面部４８ＢのＸ６方向基端側に形成された延出部４８Ｂ２には、ねじ孔４８Ｂ２１が形成され、先端側に形成された延出部４８Ｂ３には、位置決め突起４８Ｂ３１が形成されている。
【００６４】
位置決め突起４８Ａ２１、４８Ｂ３１は、Ｚ６方向の逆方向に突設されている。また、位置決め突起４８Ａ２１、４８Ｂ３１の形成位置は、光源収納部４８にランプハウジング８を収納した際に、ランプハウジング８の背面部８Ｄに形成された孔８Ｄ２１、８Ｄ５１に対応する位置とされている。また、ねじ孔４８Ａ３１、４８Ｂ２１の形成位置は、背面部８Ｄに設けられたねじ８Ｄ３１、８Ｄ４１に対応する位置とされている。
【００６５】
（４−２）  側面部４８Ｃ、４８Ｄの構成
側面部４８Ｃ、４８Ｄには、略矩形の開口部４８Ｃ１、４８Ｃ２、４８Ｄ１、４８Ｄ２が形成されている。
開口部４８Ｃ１、４８Ｄ１は、Ｚ６方向先端側に形成されており、開口部４８Ｃ１、４８Ｄ１の形成位置は、ランプハウジング８の側面部８Ｅ、８Ｆに形成された図示しない開口部と略同じ位置とされている。
開口部４８Ｃ２、４８Ｄ２は、Ｚ６方向基端側に形成されており、ランプハウジング８の側面部８Ｅ、８Ｆに形成された開口部８Ｅ２、８Ｆ２に対応する位置に形成されている。
【００６６】
また、側面部４８Ｃ、４８Ｄの内面には、内方向に突出した突出部４８Ｃ３、４８Ｄ３が突設されている。これらの突出部４８Ｃ３、４８Ｄ３は、ランプハウジング８が光源収納部４８に収納される際に、ランプハウジング８の側面部８Ｅ、８Ｆに取り付けられたシャッタ本体８Ｅ１２、８Ｆ１２に当接される。これにより、ランプハウジング８がＺ６方向に移動するに伴い、シャッタ本体８Ｅ１２、８Ｆ１２はＺ６方向の逆方向（図９および図１０においてはＺ５方向の逆方向）に押しやられ、側面部８Ｅ、８Ｆに形成された図示しない開口部が露出する。
【００６７】
側面部４８Ｄには、側面部４８Ｄの外面から面外方向に突出する突出部４８Ｄ４、４８Ｄ５が形成されている。この突出部４８Ｄ４、４８Ｄ５は、ランプハウジング８の背面部８Ｄに設けられたコネクタ８Ｄ６と嵌合する図示しないコネクタを固定するための部分である。
【００６８】
奥行部４８Ｅは、ランプハウジング８の正面部８Ａに取り付けられた板金８Ａ３が当接される。この奥行部４８Ｅの略中央には、略矩形の開口部４８Ｅ１が形成されており、この開口部４８Ｅ１は、前述のように、光源装置４１１から射出された光束を、ライトガイド４５の部品収納部４９に透過させるための開口である。
【００６９】
（５）ランプハウジング８の光源収納部４８への収納
図１２には、光源装置４１１のランプハウジング８と光源収納部４８との位置関係を示す斜視図である。
ここで、光源収納部４８へのランプハウジング８の収納について、図１２を用いて説明する。
【００７０】
ランプハウジング８は、内部に収納された光源ランプ４１１Ａ（図６参照）およびリフレクタ４１１Ｂ（図６参照）により規定される光束射出方向を先端にして、ライトガイド４５に形成された光源収納部４８に収納される。このとき、光源収納部４８に形成された案内溝４８Ａ１、４８Ｂ１に、光軸周りに互いに点対称となるランプハウジング８の位置に形成された先端側突起８Ｂ１、８Ｃ１（図１０参照）を係合させる。ここで、先端側突起８Ｂ１、８Ｃ１を、幅広に形成された第２溝部４８Ａ１２、４８Ｂ１２に係合させたのち、照明光軸方向に向かうに従って幅狭に形成された第１溝部４８Ａ１１、４８Ｂ１１に係合すれば、案内溝４８Ａ１、４８Ｂ１との係合が容易となる。その後、ランプハウジング８を照明光軸方向に移動させると、先端側突起８Ｂ１、８Ｃ１が、案内溝４８Ａ１、４８Ｂ１に形成された図示しない先端側位置決め部および先端側位置決め部４８Ｂ１３により位置決めされる。このとき、ランプハウジング８は、ランプハウジング８に形成された延出部８Ｄ２、８Ｄ３、８Ｄ４、８Ｄ５が、光源収納部４８の延出部４８Ａ２、４８Ａ３、４８Ｂ２、４８Ｂ３に当接されることにより位置決めされる。すなわち、延出部８Ｄ２、８Ｄ５に形成された孔８Ｄ２１、８Ｄ５１に、光源収納部４８の延出部４８Ａ２、４８Ｂ３に形成された位置決め突起４８Ａ２１、４８Ｂ３１が挿入されるとともに、延出部８Ｄ３、８Ｄ４に設けられたねじ８Ｄ３１、８Ｄ４１が、延出部４８Ａ３、４８Ｂ２に形成されたねじ孔４８Ａ３１、４８Ｂ２１に螺合することにより、ランプハウジング８は光源収納部４８に位置決め固定される。なお、前述のように、ランプハウジング８に形成されたシャッタ８Ｅ１（図１０参照）、８Ｆ１は、ランプハウジング８の収納に伴い、図示しない開口部を露出させる。
【００７１】
（６）実施形態の効果
本実施形態によれば、以下のような効果がある。
（６−１）  ランプハウジング８の側面部８Ｂ、８Ｃの光軸方向先端部には、先端側突起８Ｂ１、８Ｃ１が形成されている。また、背面部８Ｄの四隅には、光源収納部４８への位置決め固定をするねじ８Ｄ３１、８Ｄ４１が設けられ、孔８Ｄ２１、８Ｄ５１が形成されている。さらに、光源収納部４８の上面部４８Ａおよび底面部４８Ｂには、案内溝４８Ａ１、４８Ｂ１が形成されている。加えて、上面部４８Ａおよび底面部４８Ｂには、ねじ孔４８Ａ３１、４８Ｂ２１が、ねじ８Ｄ３１、８Ｄ４１に対応する位置に形成され、位置決め突起４８Ａ２１、４８Ｂ３１が、孔８Ｄ２１、８Ｄ５１に対応する位置に設けられている。これによれば、ランプハウジング８が、光源収納部４８に収納される際に、ランプハウジング８の光束射出方向先端側と基端側で位置決め固定されるので、内部に収納された光学部品４１、４２、４３、４４により規定されるライトガイド４５の照明光軸と、光源装置４１１から射出される光束の光軸とが一致するように、ランプハウジング８を精度良く位置決めすることができる。従って、光源装置４１１から射出される光束の光軸ずれによって生じる光学像の色むらの発生を防ぐことができる。
【００７２】
（６−２）  ランプハウジング８に形成された先端側突起８Ｂ１、８Ｃ１と、光源収納部４８に形成された案内溝４８Ａ１、４８Ｂ１による係合により、ランプハウジング８は、光源収納部４８に照明光軸方向に沿ってスライドして位置決めされるので、ランプハウジング８の位置決めを容易に、かつ、精度良く行うことができる。従って、光軸ずれを容易に抑えることができる。ここで、先端側突起８Ｂ１、８Ｃ１および案内溝４８Ａ１、４８Ｂ１が、それぞれランプハウジング８および光源収納部４８と一体的に形成されているので、部品点数を増加させることなく、光源装置４１１の収納に際しての光軸ずれを抑えることができる。
【００７３】
（６−３）  先端側突起８Ｂ１、８Ｃ１は、光軸方向に長いリブ状突起として形成されている。これによれば、先端側突起８Ｂ１の案内溝４８Ａ１との当接面積、および、先端側突起８Ｃ１の案内溝４８Ｂ１との当接面積を大きくすることができる。従って、先端側突起８Ｂ１、８Ｃ１の位置決め精度を高めることができ、安定してランプハウジング８を光源収納部４８に収納することができる。
【００７４】
（６−４）光源収納部４８に形成された案内溝４８Ａ１には、第１溝部４８Ａ１１、第２溝部４８Ａ１２および図示しない先端側位置決め部が形成されている。また、案内溝４８Ｂ１には、案内溝４８Ａ１と同様に、第１溝部４８Ｂ１１、第２溝部４８Ｂ１２および先端側位置決め部４８Ｂ１３が形成されている。ここで、第１溝部４８Ａ１１、４８Ｂ１１と、第２溝部４８Ａ１２、４８Ｂ１２とは連続して形成され、第２溝部４８Ａ１２、４８Ｂ１２は、照明光軸方向基端側に幅広に形成され、第１溝部４８Ａ１１、４８Ｂ１１は、照明光軸方向基端側から先端側に向かって、先端側突起８Ｂ１、８Ｃ１の幅寸法（図９および図１０中の矢印Ｘ５方向の寸法）より若干広い幅寸法で形成されている。これによれば、ランプハウジング８を光源収納部４８に収納する際に、先端側突起８Ｂ１、８Ｃ１を、第２溝部４８Ａ１２、４８Ｂ１２を介して第１溝部４８Ａ１１、４８Ｂ１１に係合しやすくすることができる。また、第１溝部４８Ａ１１、４８Ｂ１１の照明光軸先端側には、先端側突起８Ｂ１、８Ｃ１の幅寸法と略同じ幅寸法を有する図示しない先端側位置決め部および先端側位置決め部４８Ｂ１３が形成されているので、この先端側での位置決めを一層確実に行うことができる。従って、ランプハウジング８を収納しやすくすることができ、ランプハウジング８の位置決めの精度を高めることができるので、光軸ずれを一層効果的に抑えることができる。
【００７５】
（６−５）  ランプハウジング８には、光軸方向先端側に先端側突起８Ｂ１、８Ｃ１が、光軸周りに互いに点対称となるように形成されており、これら先端側突起８Ｂ１、８Ｃ１が案内溝４８Ａ１、４８Ｂ１に係合して、ランプハウジング８は、光源収納部４８の照明光軸方向先端側で位置決めされる。また、ランプハウジング８の光軸方向基端側に設けられたねじ８Ｄ３１、８Ｄ４１が、光源収納部４８に形成されたねじ孔４８Ａ３１、４８Ｂ２１に螺合され、かつ、ランプハウジング８の光軸方向基端側に形成された孔８Ｄ２１、８Ｄ５１に、光源収納部４８の位置決め突起４８Ａ２１、４８Ｂ３１が挿通される。これにより、ランプハウジング８は、光源収納部４８の照明光軸方向基端側で位置決め固定され、更に、光源装置４１１の光束射出面に近い位置でも光源収納部４８に精度良く位置決めすることができる。従って、照明光軸基端側での位置決め固定と併せて、ランプハウジング８を確実に位置決め固定することができ、光軸ずれを抑えて光学像の色むらを抑えることができる。
【００７６】
（７）変形例
本発明は、前記実施形態に限定されるものではなく、本発明の目的を達成できる他の構成等を含み、以下に示すような変形等も本発明に含まれる。
（７−１）  前記実施形態では、ランプハウジング８に先端側突起８Ｂ１、８Ｃ１を形成し、光源収納部４８内面に案内溝４８Ａ１、４８Ｂ１を形成したが、これに限らず、逆の構成であってもよい。すなわち、ランプハウジング８側に案内溝が形成され、この案内溝と対応する光源収納部４８の位置に突起が形成される構成であってもよい。
また、先端側突起８Ｂ１、８Ｃ１の位置は、ランプハウジング８の側面部８Ｂ、８Ｃとし、案内溝４８Ａ１、４８Ｂ１の位置は、光源収納部の上面部４８Ａおよび底面部４８Ｂの内面としたが、突起を側面部８Ｅ、８Ｆに形成し、案内溝を側面部４８Ｃ、４８Ｄに形成する構造であってもよい。
【００７７】
（７−２）  前記実施形態では、ライトガイド４５に形成された光源収納部４８の開口部４８１は、サイドケース２４を取り外すことによって露出する図示しない開口部に対向して形成され、ランプハウジング８は、この開口部および開口部４８１を介して、照明光軸に沿って光源収納部４８に収納されるとしたが、本発明はこれに限らない。例えば、ランプハウジング８をロアーケース２２の底面部２２Ａからランプハウジング８を光源収納部４８に収納する構成でもよく、また、アッパーケース２１の上面部２１Ａから収納する構成でもよい。ランプハウジング８を底面部２２Ａから収納する場合、光源収納部４８の上面部４８Ａを照明光軸方向の逆方向に延出して形成し、この上面部４８Ａの開口端部から案内溝４８Ａ１を形成すればよく、この案内溝４８Ａ１にランプハウジング８の先端側突起８Ｂ１を係合させた後、照明光軸方向に沿ってランプハウジング８を収納すればよい。また、上面部２１Ａから収納する場合、光源収納部４８の底面部４８Ｂを照明光軸方向の逆方向に延出して形成し、この底面部４８Ｂの開口端部から案内溝４８Ｂ１を形成すればよく、この案内溝４８Ｂ１にランプハウジング８の先端側突起８Ｃ１を係合させ、照明光軸方向に沿ってランプハウジング８を収納すればよい。
【００７８】
（７−３）  前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００７９】
（７−４）  前記実施形態では、３つの光変調装置を用いたプロジェクタ１の例のみを挙げたが、１つの光変調装置のみを用いたプロジェクタ、２つの光変調装置を用いたプロジェクタ、あるいは、４つ以上の光変調装置を用いたプロジェクタにも適用可能である。
また、光変調装置として液晶パネル４４１を用いたが、マイクロミラーを用いたデバイスなど、液晶以外の光変調装置を用いてもよい。
さらに、前記実施形態では、光入射面と光射出面とが異なる透過型の光変調装置を用いていたが、光入射面と光射出面とが同一となる反射型の光変調装置を用いてもよい。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタのロアーケースおよびフロントケースを上方から見た斜視図。
【図５】前記実施形態におけるプロジェクタの内部構造を示す斜視図。
【図６】前記実施形態における光学ユニットの光学系の模式図。
【図７】前記実施形態におけるライトガイドを示す斜視図。
【図８】前記実施形態における光源装置および光源収納部の配置を示す斜視図。
【図９】前記実施形態におけるランプハウジングの構造を示す斜視図。
【図１０】前記実施形態におけるランプハウジングの構造を示す斜視図。
【図１１】前記実施形態における光源収納部の構造を示す斜視図。
【図１２】前記実施形態における光源装置および光源収納部の配置を示す斜視図。
【符号の説明】
１・・・プロジェクタ、２・・・外装ケース（外装筐体）、８・・・ランプハウジング（光源収納用筐体）、４１・・・インテグレータ照明光学系（光学部品）、４２・・・色分離光学系（光学部品）、４３・・・リレー光学系（光学部品）、４４・・・色合成光学系（光学部品）、４５・・・ライトガイド（光学部品用筐体）、４８・・・光源収納部、４１１・・・光源装置、４１１Ａ・・・光源ランプ（光源）、４１１Ｂ、４１１Ｇ、４１１Ｒ・・・液晶パネル（光変調装置）、４８Ａ１、４８Ｂ１・・・案内溝、８Ｂ１・・・先端側突起（係合案内部、突起）、８Ｃ１・・・先端側突起（係合案内部、突起）、８Ｄ２１、８Ｄ５１・・・孔（位置決め部）。
【図１】
2005043600.tif 000003
【図２】
2005043600.tif 000004
【図３】
2005043600.tif 000005
【図４】
2005043600.tif 000006
【図５】
2005043600.tif 000007
【図６】
2005043600.tif 000008
【図７】
2005043600.tif 000009
【図８】
2005043600.tif 000010
【図９】
2005043600.tif 000011
【図１０】
2005043600.tif 000012
【図１１】
2005043600.tif 000013
【図１２】
2005043600.tif 000014